(57)【要約】      （修正有）【課題】葬儀のときに遺体に着用させるのに適した構造のウィッグを提供する。【解決手段】本ウィッグ１０は、被装着者の後頭部側に向かう毛髪１６ｃの長さが相対的に短くなるように構成されており、被装着者の後頭部のうち前頭部に近い領域１８にのみ毛髪１６ｃが被さるようになっている。本ウィッグ１０を仰臥位にある遺体に装着した場合、頭部と枕２２の間に毛髪１６ｃが挟まれることはないため、ウィッグ１０に不自然な変形が生じることはなく、立位時に装着したときと同じような自然で違和感のない状態に維持される。【選択図】図３
0003170243.tif 000002
【実用新案登録請求の範囲】
【請求項１】
被装着者の頭部に装着するベース部と、前記ベース部に植毛された毛髪を備え、
前記毛髪のうち被装着者の後頭部側に向かう毛髪部分の長さが、前頭部側および側頭部側に向かう毛髪部分の長さに比べて短いことを特徴とする、ウィッグ。
【請求項２】
被装着者の頭部に装着するベース部と、前記ベース部に植毛された毛髪を備え、
前記毛髪のうち被装着者の後頭部側に向かう毛髪部分が、被装着者の後頭部のうち前頭部に近い領域にのみ被さることを特徴とする、ウィッグ。
【請求項３】
前記ベース部の両側端部にそれぞれ接着部を備えたことを特徴とする、請求項１または２に記載のウィッグ。
【請求項４】
前記ベース部の後端部に接着部を備えたことを特徴とする、請求項３に記載のウィッグ。
【考案の詳細な説明】
【技術分野】
【０００１】
本考案は、ウィッグに関し、特に葬儀のときに遺体に着用させるのに適した構造のウィッグに関する。
【背景技術】
【０００２】
薄くなってきた頭髪を部分的に補うものとして、また最近ではファッションアイテムの一つとして、ウィッグは広く用いられるようになってきている。従来のウィッグはピンなどを用いて地毛に留めて装着するタイプのものが一般的である（特許文献１参照）。地毛が少ないか、全くない場合は、両面テープや接着剤を用いて地肌に貼り付ける方法が用いられている。
【０００３】
近年、わが国における死因別死亡率の上位を常にがん（癌）が占めている。そのため、闘病生活の結果、亡くなられた方の中には抗がん剤の副作用より地毛が抜け落ちてしまっている例が多く見られるようになってきている。また不慮の事故などで頭部を負傷したような場合、オペ治療のために悌毛するため、不幸にしてそのまま帰らぬ人となったときには、遺体は毛髪がない状態となっていることが多い。
【先行技術文献】
【特許文献】
【０００４】
【特許文献１】特開２００７−３１９１６号公報
【考案の概要】
【考案が解決しようとする課題】
【０００５】
このような場合、わが国の葬儀における習慣として、遺体に死装束を施し、女性であればさらに死化粧を施すことが行われていることから、毛髪に関しても生前の姿、少なくともそれに近い姿に戻してから送り出してあげたいという思いが遺族にはある。この場合、遺体の頭部にウィッグを装着することがまず考えられるが、市販されているウィッグの多くは日常生活における一般的な姿勢である立位での使用を前提に造られているため、仰臥位にある遺体に装着した場合、想定外の外力が作用し、ウィッグが不自然な形に変形したり、ずれたり外れたりすることが起こりうる。
【０００６】
本考案は、以上の問題点に鑑み、特に葬儀のときに遺体に着用させるのに適した構造のウィッグを提供することを目的としてなされたものである。
【課題を解決するための手段】
【０００７】
本考案のウィッグは、被装着者の頭部に装着するベース部と、前記ベース部に植毛された毛髪を備え、前記毛髪のうち被装着者の後頭部側に向かう毛髪部分の長さが、前頭部側および側頭部側に向かう毛髪部分の長さに比べて短くなるように構成されている。
【０００８】
従来の一般的な構造のウィッグは、着用したまま仰臥姿勢になったときに、頭部と枕との間に挟まれた毛髪が根元にかけて不自然に膨れ上がることがあり、これがウィッグの型崩れや位置ずれ等の原因となっていた。本考案のウィッグは、被装着者の後頭部側に向かう毛髪部分が、他の部分の長さに比べて相対的に短くなるように構成されているため、例えば枕などに頭部を載せたときに毛髪が後頭部と枕の間に挟まれることはないかほとんどない。そのため、仰臥姿勢であってもウィッグの型崩れや位置ずれ等の不具合が起こりにくくなっている。
【０００９】
本考案のウィッグは、被装着者の頭部に装着するベース部と、前記ベース部に植毛された毛髪を備え、前記毛髪のうち被装着者の後頭部側に伸びる毛髪部分が、被装着者の後頭部のうち前頭部に近い領域にのみ被さるように構成することもできる。
【００１０】
後頭部側に向かう毛髪部分の長さが相対的に短い、もしくは後頭部の上部のみに毛髪が被さるという本考案のウィッグの特徴的な形状も、棺に安置された遺体に使用した場合は後頭部の大部分は枕によって隠されることから、葬儀の参列者等に違和感を覚えさせるものではない。
【００１１】
本考案のウィッグは、ベース部の両側端部にそれぞれ接着部を備えるように構成することも可能である。接着部は両面テープやウィッグ専用の接着液などの接着剤で構成することができ、これらの接着剤を被装着者の両側頭部のこめかみの辺りに接着することでウィッグを装着することができる。接着部はベース部の両側端部に設けられているため、被装着者の頭蓋の大きさや形状に合わせて接着位置を変えるだけできれいに装着することができる。
【００１２】
本考案のウィッグは、さらにベース部の前端に接着部を備えるように構成することも可能である。この接着部を被装着者の天頂部から前頭部にかけての辺りに接着することでウィッグがより強固に固定されるようになるため、型崩れや位置ずれ等の不具合の発生を極力排除することができるようになる。
【考案の効果】
【００１３】
本考案のウィッグであれば、仰臥姿勢にあっても違和感のない自然な髪形を長時間維持することが可能になるため、毛髪を失った故人を生前の姿もしくはそれに近い姿に戻して送り出すことができるようになる。
【図面の簡単な説明】
【００１４】
【図１】ウィッグの構造を示す図
【図２】ウィッグを頭部に装着した状態を示す図
【図３】仰臥姿勢にある頭部にウィッグを装着した状態を示す図
【考案を実施するための形態】
【００１５】
本考案の実施の形態について、添付した図面を参照して説明する。図１に示すように、ウィッグ１０は、ベース部１２と接着剤用土台１４ａ、１４ｂと毛髪１６ａ、１６ｂ、１６ｃで構成されている。ベース部１２は、毛髪を植えつけるための基盤となる部材であり、一般には繊維を網目状に織ったネットベースと呼ばれるものを使用することができるが、他にも、ポリウレタンやシリコンなどの樹脂を原材料として造られた人工的な皮膚（スキンベース）や、非常に薄くて柔軟性に富むレース素材のものなどを使用することもできる。何れの素材であっても、頭蓋の形状に倣って容易に変形するだけの柔軟性を備えていることが要求される。
【００１６】
ベース部１２は縦方向に短く横方向に長い形状をしており、裏側の横方向の両端部には接着剤用土台１４ａが取り付けられ、縦方向の後端部に接着剤用土台１４ｂが取り付けられている。接着剤用土台１４ａ、１４ｂは、ウィッグ１０を人体の頭部に装着するときに用いる接着剤を付ける部材であり、接着力を高めるため、接着箇所の頭蓋の形状に倣って容易に変形するだけの柔軟性を備えていることが望ましい。
【００１７】
ベース部１２の表側には毛髪１６ａ、１６ｂ、１６ｃが植毛されている。このうち毛髪１６ａは前頭部側に向かう毛髪部分であり、毛髪１６ｂは側頭部側に向かう毛髪部分である。毛髪１６ｃは後頭部側に向かう毛髪部分であり、毛髪１６ａ、１６ｂの長さに比べて短くなっている。毛髪１６ａ、１６ｂは従来の一般的な構造のウィッグと何ら変わる点はなく、装着したときに前頭部および側頭部に自然な感じで被さるようになっているが、毛髪１６ｃは従来のウィッグとは異なり極端に短くされている。
【００１８】
図２（ａ）はウィッグ１０を頭部に装着したときの状態を示している。毛髪１６ａ、１６ｂは前頭部および側頭部に自然な感じで被さっているが、相対的に短くされている毛髪１６ｃは後頭部のうち前頭部に近い領域１８にのみ被さっている。後頭部のうち前頭部から離れた領域は毛髪１６ｃが被さらない無毛領域２０となっており、この点でウィッグ１０は従来の一般的なウィッグとは大きく異なる外観を呈している。
【００１９】
図２（ｂ）はウィッグ１０を頭部に装着したときの接着剤用土台１４ａ、１４ｂの位置を示している。ウィッグ１０の装着に際しては、横方向の中心を両側頭部の中央に合わせながら、毛髪１６ａの位置を基準として前後方向の位置合わせを行い、最後に頭部の大きさに応じて接着剤用土台１４ａの高さを調整する。接着剤用土台１４ａ、１４ｂに予め両面テープを貼り付けておけば、接着の際に離型紙を剥ぎ取るだけでよいので装着が容易である。
【００２０】
図３は安置された遺体にウィッグ１０を装着した状態を示している。遺体の頭部は枕２２の上に載せられており、無毛領域２０は間に毛髪１６ｃを挟むことなく枕２２と接している。毛髪１６ｃは先端のほんの一部が枕２２にかかるだけであるので、外力が加えられることはほとんどなく、不自然な変形が生じることはない。そのため、ウィッグ１０は立位時に装着したときと同じように自然で違和感のない状態に維持される。
【００２１】
ウィッグ１０は、装着時に頭部と枕２２の間に毛髪１６ｃが挟まれないことから、既に安置されている遺体の頭部を起こすことなく装着することができる。従って、遺体の扱いに慣れない者、例えば遺族であっても容易に装着することが可能である。
【符号の説明】
【００２２】
１０                    ウィッグ
１２                    ベース部
１４ａ、１４ｂ          接着剤用土台
１６ａ、１６ｂ、１６ｃ  毛髪
２０                    無毛領域
２２                    枕
【図１】
0003170243.tif 000003
【図２】
0003170243.tif 000004
【図３】
0003170243.tif 000005